(57)【特許請求の範囲】
【請求項１】
一面に多数の柱状の締結部材が立設されており、
前記多数の締結部材は、一方向に並設される多数の列に並んでおり、
前記多数の列は、前記一方向において第１間隔を有する複数の第１列、及び前記一方向に第２間隔を有する複数の第２列に分けられ、
前記第１列及び第２列は前記一方向において交互配列されており、
前記第１間隔と前記第２間隔とは異なっていることを特徴とするエンドパネル。
【請求項２】
前記一面は対称軸に関して線対称な形状をなし、
前記多数の締結部材は、前記対称軸に関して対称配列されていることを特徴とする請求項１に記載のエンドパネル。
【請求項３】
前記一面は対称点に関して点対称な形状をなし、
前記多数の締結部材は、前記対称点に関して対称配列されていることを特徴とする請求項１に記載のエンドパネル。
【請求項４】
前記締結部材はスタッドボルトであり、溶接により前記一面に立設されていることを特徴とする請求項１から３のいずれか一つに記載のエンドパネル。
【請求項５】
キャビネット本体と、
キャビネット本体の側面を覆うための請求項１から４のいずれか一つに記載のエンドパネルと
を備え、
前記キャビネット本体は、前記締結部材に対応する位置に前記締結部材が挿通可能な貫通孔が多数形成されている側板を有することを特徴とするキャビネット。
【請求項６】
前記貫通孔の径は前記締結部材の径より大きいことを特徴とする請求項５に記載のキャビネット。
【発明の詳細な説明】
【技術分野】
【０００１】
本発明は、エンドパネル及びそれを備えるキャビネットに関する。
【背景技術】
【０００２】
台所に設置されたキャビネットには、キャビネット本体と、キャビネット本体の左右両側面を覆うためのエンドパネルとを備える。このようなキャビネットは、エンドパネルを設けることで、キャビネット本体への水の浸入を阻止することができる（特許文献１参照）。
【０００３】
特許文献１に記載のキャビネットでは、キャビネット本体の左右両側面となる側板に、ビスのネジ部を挿通可能な多数の貫通孔を形成し、これらの貫通孔に対応するエンドパネルの位置に内側面から凹部を形成し、その凹部内にビスのネジ部が螺合する螺合部材を挿し込んで固定している。ビスのネジ部を貫通孔に挿通させてから、エンドパネルの螺合部材に螺合させることにより、エンドパネルを側板に連接固定する。
【先行技術文献】
【特許文献】
【０００４】
【特許文献１】特開平２００９−６０９２号公報
【発明の概要】
【発明が解決しようとする課題】
【０００５】
しかしながら、特許文献１に記載のキャビネットにおいて、エンドパネルの内側面の凹部内に螺合部材が挿し込まれているため、エンドパネルの機械的強度が確保しにくい。エンドパネルは、温湿度の変化などにより変形・反りが発生する虞がある。
【０００６】
本発明は斯かる事情に鑑みてなされたものであり、その主たる目的は、変形・反りが発生しにくいエンドパネル及びそれを備えるキャビネットを提供することにある。
【課題を解決するための手段】
【０００７】
本発明に係るエンドパネルは、一面に多数の柱状の締結部材が立設されており、前記多数の締結部材は、一方向に並設される多数の列に並んでおり、前記多数の列は、前記一方向において第１間隔を有する複数の第１列、及び前記一方向に第２間隔を有する複数の第２列に分けられ、前記第１列及び第２列は前記一方向において交互配列されており、前記第１間隔と前記第２間隔とは異なっていることを特徴とする。
【０００８】
本発明に係るエンドパネルは、前記一面は対称軸に関して線対称な形状をなし、前記多数の締結部材は、前記対称軸に関して対称配列されていることを特徴とする。
【０００９】
本発明に係るエンドパネルは、前記一面は対称点に関して点対称な形状をなし、前記多数の締結部材は、前記対称点に関して対称配列されていることを特徴とする。
【００１０】
本発明に係るキャビネットは、前記締結部材はスタッドボルトであり、溶接により前記一面に立設されていることを特徴とする。
【００１１】
本発明に係るキャビネットは、キャビネット本体と、キャビネット本体の側面を覆うための前記エンドパネルとを備え、前記キャビネット本体は、前記締結部材に対応する位置に前記締結部材が挿通可能な貫通孔が多数形成されている側板を有することを特徴とする。
【００１２】
本発明に係るキャビネットは、前記貫通孔の径は前記締結部材の径より大きいことを特徴とする。
【００１３】
本発明にあっては、多数の柱状の締結部材を一面に立てて設けることにより、エンドパネルの機械的強度を高めることができる。
【００１４】
本発明にあっては、一面を対称軸に関して線対称な形状にさせ、多数の締結部材を対称軸に関して対称配列することにより、エンドパネルを一側及び他側の何れにも設けることができる。
【００１５】
本発明にあっては、一面を対称点に関して点対称な形状にさせ、多数の締結部材を対称点に関して対称配列することにより、一側に設けられたエンドパネルを１８０度回転させて再び該一側に設置することができる。
【００１６】
本発明にあっては、スタッドボルトを溶接により一面に立てて設けることにより、簡単な構造でエンドパネルの機械的強度を増加させることができる。
【００１７】
本発明にあっては、キャビネット本体の側面となる側板に、エンドパネルにおける締結部材に対応するように、締結部材が挿通可能な貫通孔を多数形成することにより、機械的強度が高いエンドパネルをキャビネット本体の側板に設けることができる。
【００１８】
本発明にあっては、貫通孔の径を締結部材の径より大きくすることにより、キャビネット本体の側面にエンドパネルを取り付けた後に、締結部材の外周面と貫通孔の内周面の間に遊びが形成されている。
【発明の効果】
【００１９】
本発明のエンドパネルによる場合、多数の柱状の締結部材が一面に立設されているため、強度が高まり、変形・反りが発生しにくくなる。
【図面の簡単な説明】
【００２０】
【図１】実施の形態に係るキャビネットの構成を略視する斜視図である。
【図２】天板が取り外されたキャビネットの前部構成を略視する斜視図である。
【図３】天板が取り外されたキャビネットの後部構成を略視する斜視図である。
【図４】エンドパネルの構成を示す模式図である。
【図５】エンドパネルの一面におけるスタッドボルトの配置の一例を説明する図である。
【図６】エンドパネルとキャビネット本体との締結を示す部分断面図である。
【図７】エンドパネルの一面におけるスタッドボルトの配置の他の例を説明する図である。
【発明を実施するための形態】
【００２１】
以下、本発明を、その実施の形態を示す図面に基づいて詳述する。以下の説明では、図において矢符で示す上下、前後、及び左右を使用する。
【００２２】
図１は実施の形態に係るキャビネットの構成を略視する斜視図である。図２は天板１５が取り外されたキャビネットの前部構成を略視する斜視図である。図３は天板１５が取り外されたキャビネットの後部構成を略視する斜視図である。
【００２３】
まず、キャビネットの大略を説明する。キャビネットは台所の床に設置され、システムキッチンの本体を構成する。図１に示すように、キャビネットは、直方体状をなすキャビネット本体１と、キャビネット本体１の左右両側面夫々に設けられたエンドパネル２，２と、キャビネット本体１に収容される複数の抽斗（図示しない）とを備える。
【００２４】
キャビネット本体１は、左右方向に並設されるシンク台１１、調理台１３及びコンロ台１２を構成する。シンク台１１、調理台１３及びコンロ台１２の下側には、蹴込板１４が一体的に設けられている。シンク台１１、調理台１３及びコンロ台１２の天面には、天板１５が一体的に設けられている。
【００２５】
シンク台１１は、キャビネットの左端に位置している。シンク台１１は、図２に示すように、前面側の収納庫１１Ｓと、後面側の収納棚１１Ｔとを備える。収納庫１１Ｓ及び収納棚１１Ｔは、夫々が直方体状をなし、上下方向の寸法がほぼ同じ、左右方向の寸法がほぼ同じである。
【００２６】
収納庫１１Ｓは、２枚の側板１１１，１１１と、各１枚の背板１１２及び底板１１３と、２枚の戸当たり桟１１４とを備えている。
【００２７】
２枚の側板１１１，１１１は、左右方向に対面配置されている。各側板１１１は矩形平板状をなす。背板１１２、及び底板１１３は、側板１１１，１１１間に配されている。背板１１２及び底板１１３は、夫々矩形平板状をなす。
【００２８】
２枚の戸当たり桟１１４，１１４夫々は、長尺状をなし、収納庫１１Ｓの前端面における上部及び中央部夫々に位置している。上部の戸当たり桟１１４は、側板１１１，１１１の前端部における上端部同士を連結している。中央部の戸当たり桟１１４は、側板１１１，１１１の前端部における中央部同士夫々を連結している。
【００２９】
収納庫１１Ｓの上部及び前部が開放されている。収納庫１１Ｓには、上下方向に２個の抽斗が収容される。抽斗の前板の上端部は、抽斗が収納庫１１Ｓに収容された場合に、図示しないパッキン部材を介して戸当たり桟１１４に当接する。収納庫１１Ｓに収容された抽斗は、収納庫１１Ｓの前部の開放部分を閉鎖する。収納庫１１Ｓの天面にはシンクが配される。
【００３０】
収納棚１１Ｔは、図３に示すように、左右方向に対面配置されている２枚の側板１１５，１１５並びに、側板１１５，１１５間に配された背板１１６、底板１１７及び２枚の棚板１１８，１１８などを備える。側板１１５，１１５、背板１１６、底板１１７及び棚板１１８，１１８夫々は矩形平板状をなす。
【００３１】
収納棚１１Ｔの背板１１６は、収納庫１１Ｓの背板１１２とほぼ同じ形状及び寸法を有する。収納棚１１Ｔの背板１１６と、収納庫１１Ｓの背板１１２とは、前後方向に重なるように当接配置されている。キャビネット本体１の左側面となる側板（以下、「左側板」と記す）１１１，１１５の外面は、面一にされている。また、左側板１１１，１１５には、後述するように貫通孔２３が多数形成されている。
【００３２】
コンロ台１２は、キャビネットの右端に位置している。コンロ台１２は、図２に示すように、前面側の収納庫１２Ｓと、後面側の収納棚１２Ｔとを備える。収納庫１２Ｓ及び収納棚１２Ｔは、夫々が直方体状をなし、上下方向の寸法がほぼ同じ、左右方向の寸法がほぼ同じである。
【００３３】
収納庫１２Ｓは、２枚の側板１２１，１２１と、各１枚の背板１２２及び底板１２３と、２枚の戸当たり桟１２４とを備えている。
【００３４】
２枚の側板１２１，１２１は、左右方向に対面配置されている。各側板１２１は矩形平板状をなす。背板１２２、及び底板１２３は、側板１２１，１２１間に配されている。背板１２２及び底板１２３は、夫々矩形平板状をなす。
【００３５】
２枚の戸当たり桟１２４，１２４夫々は、長尺状をなし、収納庫１２Ｓの前端面における上部及び中央部夫々に位置している。上部の戸当たり桟１２４は、側板１２１，１２１の前端部における上端部同士を連結している。中央部の戸当たり桟１２４は、側板１２１，１２１の前端部における中央部同士夫々を連結している。
【００３６】
収納庫１２Ｓ及び収納庫１１Ｓは、上下方向の寸法がほぼ同じ、前後方向の寸法がほぼ同じである。
【００３７】
収納庫１２Ｓの上部及び前部が開放されている。収納庫１２Ｓには、ビルトイン型のグリル付きコンロと、その下側に配される抽斗とが収容される（各不図示）。収納庫１２Ｓに収容された抽斗とグリル付きコンロとは、コンロ台１２の前部の開放部分を閉鎖する。
【００３８】
収納棚１２Ｔは、図３に示すように、左右方向に対面配置されている２枚の側板１２５，１２５並びに、側板１２５，１２５間に配された背板１２６、底板１２７及び２枚の棚板１２８，１２８などを備える。収納棚１１Ｔ及び収納棚１２Ｔは、ほぼ同じ構造であり、上下方向の寸法がほぼ同じ、前後方向の寸法がほぼ同じである。
【００３９】
収納棚１２Ｔの背板１２６は、収納庫１２Ｓの背板１２２とほぼ同じ形状及び寸法を有する。収納棚１２Ｔの背板１２６と、収納庫１２Ｓの背板１２２とは、前後方向に重なるように当接配置されている。キャビネット本体１の右側面となる側板（以下、「右側板」と記す）１２１，１２５の外面は、面一にされている。また、右側板１２１，１２５には、後述するように貫通孔２３が多数形成されている。
【００４０】
調理台１３は、シンク台１１とコンロ台１２との間に位置している。調理台１３は、図２に示すように、前面側の収納庫１３Ｓ１，１３Ｓ２と、後面側の収納棚１３Ｔとを備える。収納庫１３Ｓ１及び収納棚１３Ｔは、夫々が直方体状をなし、上下方向の寸法がほぼ同じである。
【００４１】
収納庫１３Ｓ１は、２枚の側板１３１，１３１と、各１枚の背板１３２及び底板１３３と、２枚の戸当たり桟１３４とを備えている。
【００４２】
２枚の側板１３１，１３１は、左右方向に対面配置されている。各側板１３１は矩形平板状をなす。背板１３２、及び底板１３３は、側板１３１，１３１間に配されている。背板１３２及び底板１３３は、夫々矩形平板状をなす。
【００４３】
２枚の戸当たり桟１３４，１３４夫々は、長尺状をなし、収納庫１３Ｓ１の前端面における上部及び中央部夫々に位置している。上部の戸当たり桟１３４は、側板１３１，１３１の前端部における上端部同士を連結している。中央部の戸当たり桟１３４は、側板１３１，１３１の前端部における中央部同士夫々を連結している。
【００４４】
収納庫１３Ｓ１は、前部及び上部が開放されている。収納庫１３Ｓ１には、上下方向に２個の抽斗が収容される。収納庫１３Ｓ１に収容された抽斗は、収納庫１３Ｓ１の前部の開放部分を閉鎖する。
【００４５】
収納庫１３Ｓ１及び収納庫１２Ｓは、上下方向の寸法がほぼ同じ、前後方向の寸法がほぼ同じである。収納庫１３Ｓ１の右側の側板１３１と、収納庫１２Ｓの左側の側板１２１とは、左右方向に重なるように当接配置されている。
【００４６】
収納棚１３Ｔは、図３に示すように、左右方向に対面配置されている２枚の側板１３５，１３５並びに、側板１３５，１３５間に配された背板１３６、底板１３７及び２枚の棚板１３８，１３８などを備える。収納棚１３Ｔ及び収納棚１２Ｔは、ほぼ同じ構造であり、上下方向の寸法がほぼ同じ、前後方向の寸法がほぼ同じである。
【００４７】
収納棚１３Ｔは、左側の側板１３５と収納棚１１Ｔの右側の側板１１５とが左右方向に重なり、右側の側板１３５と収納棚１２Ｔの左側の側板１２５とが左右方向に重なるように、収納棚１１Ｔ、１２Ｔ間に配置されている。
【００４８】
収納棚１３Ｔの背板１３６は、上下方向の寸法が収納庫１３Ｓ１の背板１３２と同じ、左右方向の寸法が背板１３２より大きい。収納庫１３Ｓ１の背板１３２と収納棚１３Ｔの背板１３６とは、前後方向に当接配置されている。
【００４９】
このように、収納庫１３Ｓ１の左側の側板１３１は、シンク台１１の収納庫１１Ｓの右側の側板１１１から離隔している。収納庫１３Ｓ１の左側の側板１３１、収納庫１１Ｓの右側の側板１１１、及び収納棚１３Ｔの背板１３６により囲繞された空間は、収納庫１３Ｓ２を構成する。収納庫１３Ｓ２には、例えば食器洗い乾燥機が収容される。
【００５０】
キャビネット本体１には、左右両側面を覆うようにエンドパネル２，２が取り付けられている。キャビネット本体１の左右両側に取り付けられたエンドパネル２，２は同様な構成であるため、以下では、キャビネット本体１の左側に取り付けられたエンドパネル２を例として、その構成及び取り付けについて説明する。
【００５１】
エンドパネル２は、例えば金属製の矩形平板である。エンドパネル２は、上下方向の寸法が側板１１１，１１５夫々とほぼ同じ、前後方向の寸法が側板１１１，１１５の寸法の和よりやや大きい。
【００５２】
図４はエンドパネル２の構成を示す模式図である。エンドパネル２の一面には、図４に示すように、締結部材である２７本のスタッドボルト２１，２１，…，２１が立設されている。以下、エンドパネル２の一面における隣り合う両辺夫々に平行となる方向をＸ軸方向及びＹ軸方向とし、一面に垂直となる方向をＺ軸方向とする。
【００５３】
各スタッドボルト２１は、柱状をなし、Ｚ方向においてエンドパネル２の一面から突出している。各スタッドボルト２１は、同じ形状及び寸法を有し、Ｚ方向の寸法が側板１１１，１１５夫々の板厚より大きい。各スタッドボルト２１は、例えば溶接により、軸線がエンドパネル２の一面に垂直となるように当該一面に固定されている。各スタッドボルト２１の先端部の外周面にはネジ溝（図示しない）が形成されている。このように構成されたエンドパネル２は、機械的強度が高まって、温湿度の変化などによる変形・反りが発生しにくい。
【００５４】
図５はエンドパネル２の一面におけるスタッドボルトの配置の一例を説明する図である。スタッドボルト２１，２１，…，２１は、図５の一点鎖線に示すように９列に並んでいる。この９列は、Ｘ方向において等間隔ｘ１を有する５つの奇数列と、Ｘ方向において等間隔ｘ２を有する４つの偶数列に分けられる。ここで、各奇数列の間隔ｘ１と各偶数列の間隔ｘ２とは異なっている。
【００５５】
また、図５の点線に示すように、５つの奇数列のスタッドボルト２１は、Ｙ方向において等間隔ｙ１を有する３行に配列され、４つの偶数列のスタッドボルト２１は、Ｙ方向において等間隔ｙ２を有する３行に配列されている。ここで、奇数列のスタッドボルト２１からなる行の間隔ｙ１と、偶数列のスタッドボルト２１からなる行の間隔ｙ２とは異なっている。
【００５６】
奇数列のスタッドボルト２１からなる行と、偶数列のスタッドボルト２１からなる行とは、Ｙ方向において交互配列されている。エンドパネル２の一面は、矩形状をなすため、Ｙ方向に沿う対称軸Ａに関して対称となる形状である。５つの奇数列のうち、真ん中の列におけるスタッドボルト２１は、対称軸Ａ上に配列されている。当該列の両側に隣り合う２つの偶数列における各スタッドボルト２１は、対称軸Ａからの距離が同じである。
【００５７】
言い換えれば、各スタッドボルト２１は、エンドパネル２の一面において対称軸Ａに関して対称配列されている。このように、一枚のエンドパネル２は、キャビネット本体１の左右両側いずれにも取り付けられる。例えば、右側（左側）が視認されやすく、右側（左側）のエンドパネル２に変形・反りが発生した場合に、当該エンドパネル２を視認されにくい左側（右側）のエンドパネル２と交換することができる。このように、エンドパネル２の配置場所を変更することにより、変形・反りがある部分は視認されにくい場所に配置される。
【００５８】
図６はエンドパネル２とキャビネット本体１との締結を示す部分断面図である。図６には、左側板１１１及びエンドパネル２の左右方向に平行な面を切断面とした断面が示されている。左側板１１１，１１５には、各スタッドボルト２１に対応する位置にスタッドボルト２１が挿通可能な２７個の貫通孔２３，２３，…２３が開設されている。各貫通孔２３は直径がスタッドボルト２１の直径よりやや大きい。このように、貫通孔２３にスタッドボルト２１が挿通されている場合、貫通孔２３の内周面とスタッドボルト２１の外周面との間には遊びが形成されている。
【００５９】
エンドパネル２はキャビネット本体１の左側面に取り付けられる際に、エンドパネル２の上辺縁を左側板１１１，１１５の上辺縁と面一にさせ、各スタッドボルト２１を対応する貫通孔２３に挿し込む。エンドパネル２の一面が左側板１１１，１１５に当接している際に、エンドパネル２がキャビネット本体の左側面を覆い、各スタッドボルト２１の先端部が左側板１１１，１１５の右側面から突出している。各スタッドボルト２１の突出した先端部にナット２２を螺合することにより、エンドパネル２はキャビネット本体１の左側面に取り付けられる。
【００６０】
側板１１１，１１５が例えば木製である場合、熱膨張率が金属製のエンドパネル２と異なるため、温湿度の変化などにより伸縮量に両者間で差が出ることがある。以上のように取り付けられたキャビネットでは、貫通孔２３の内周面とスタッドボルト２１の外周面との間に遊びが形成されているため、伸縮量に側板１１１，１１５及びエンドパネル２間で差が出る場合でも、その差が貫通孔２３とスタッドボルト２１との間の遊びにより吸収される。このため、エンドパネル２の変形・反りを防止することができる。
【００６１】
以上の実施の形態では、多数のスタッドボルト２１が線対称配列されている場合について説明したが、多数のスタッドボルト２１の配列は線対称に限らず、点対称配列されてもよい。図７は、エンドパネル２の一面におけるスタッドボルト２１の配置の他の例を説明する図である。エンドパネル２の一面は矩形をなし、即ち矩形の中心（以下、対称点Ｂと記す）に関して点対称な形状である。エンドパネル２の一面には、多数のスタッドボルト２１が矩形の対称点Ｂに関して対称配列されている。このように、エンドパネル２を１８０度回転させて設置することができる。例えば、視認されやすいエンドパネル２の左上部に変形・反りが発生した場合に、エンドパネル２を１８０度回転させて、視認されにくい右下部に設置することができる。このように、エンドパネル２の角度を変更することにより、変形・反りがある部分は視認されにくい場所に配置される。
【００６２】
また、多数のスタッドボルト２１は、Ｙ方向に沿う対称軸Ａに関して対称となる配列に限らず、Ｘ方向に沿う対称軸に関して対称となるように配列されてもよい。多数のスタッドボルト２１は、各列又は各行の間隔が同じであってもよい。多数のスタッドボルト２１は非対称配列されてもよい。
【００６３】
以上の実施の形態では、スタッドボルト２１の個数が２７である場合について説明したが、スタッドボルト２１の個数は２７に限らず、必要に応じて任意に設定すればよい。また、多数のスタッドボルト２１とエンドパネル２とは一体成形されてもよい。
【００６４】
また、以上の実施の形態では、締結部材としてスタッドボルト２１について説明したが、締結部材はスタッドボルトに限らず、柱状をなしてエンドパネル２の一面から突起する部材であればよい。例えば、内周面に雌ネジが形成された中空の柱状部材であってもよい。この場合、このような柱状部材の長さを左右側板の板厚とほぼ同じ、又は左右側板の板厚より短く設定し、ナット２２の代わりに、外周面に雄ネジが形成されたボルトを柱状部材に螺合することにより、エンドパネル２をキャビネット本体１の側面に取り付けることができる。
【００６５】
さらに、以上の実施の形態では、エンドパネル２をキャビネットに適用する場合について説明したが、エンドパネル２は、棚又は抽斗にも適用される。
【００６６】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、エンドパネル２又はキャビネットに、実施の形態に開示されていない構成要素が含まれていてもよい。
【符号の説明】
【００６７】
１  キャビネット本体
１１  シンク台
１２  コンロ台
１３  調理台
１４  蹴込板
１５  天板
１１１，１１５，１２１，１２５，１３１，１３５  側板
１１２，１１６，１２２，１２６，１３２，１３６  背板
１１３，１１７，１２３，１２７，１３３，１３７  底板
１１４，１２４，１３４  戸当り桟
２  エンドパネル
２１  スタッドボルト
２２  ナット
２３  貫通孔
【図１】
0006757158.tif 000002
【図２】
0006757158.tif 000003
【図３】
0006757158.tif 000004
【図４】
0006757158.tif 000005
【図５】
0006757158.tif 000006
【図６】
0006757158.tif 000007
【図７】
0006757158.tif 000008